(57)【要約】【課題】作動制御装置又は表示制御装置が瞬断等しても、不具合発生直前の画面状態の情報を記録することなく、復帰後の制御状況に合致した表示画像を表示できる表示制御装置等を提供する。【解決手段】表示制御装置４００は、作動機器を制御する作動制御装置２００に接続され、作動制御装置２００による作動機器の制御状況を示す画像を表示機器３００に表示させるものであって、データ同期通信部４１０と表示画像決定部４４０と描画実行部４５０とを備える。データ同期通信部４１０は、作動制御装置２００との間で情報を送受信する。表示画像決定部４４０は、データ同期通信部４１０が受信した作動機器の制御状況を示す情報に基づいて、表示機器３００に表示させる画像を表示画像として決定する。描画実行部４５０は、表示画像決定部４４０により決定された表示画像を表示機器３００に表示させるための信号を出力する。【選択図】図２
2015191113.tif 000002
【特許請求の範囲】
【請求項１】
作動機器を制御する作動制御装置に接続され、前記作動制御装置による前記作動機器の制御状況を示す画像を表示機器に表示させるための表示制御装置であって、
前記作動制御装置との間で情報を送受信するデータ同期通信部と、
前記データ同期通信部が受信した前記作動機器の制御状況を示す情報に基づいて、前記表示機器に表示させる前記画像を表示画像として決定する表示画像決定部と、
前記表示画像決定部により決定された前記表示画像を前記表示機器に表示させるための信号を出力する描画実行部と、
を備える、
ことを特徴とする表示制御装置。
【請求項２】
前記作動機器の制御状況を示す情報は、データ種別とデータ値とを含む制御データであり、
前記データ同期通信部が受信した前記作動制御装置からの前記制御データを記憶する制御データ記憶部と、
データ種別が異なる複数の制御データと前記画像とを対応付けた対応付けテーブルと、
を備え、
前記表示画像決定部は、前記対応付けテーブルを用いて、前記データ記憶部に記憶した前記制御データに対応する前記画像を前記表示画像として決定する、
ことを特徴とする請求項１に記載の表示制御装置。
【請求項３】
前記対応付けテーブルにおいて、各制御データには、データ種別毎に優先順位が付けられており、
前記表示画像決定部は、前記表示画像を決定する際に、前記制御データ記憶部に記憶された現在の制御データのうち優先順位の高いデータ種別の制御データを優先的に選択し、選択した制御データで前記対応付けテーブルを検索し、該当する画像が１つに絞られた場合、当該画像を前記表示画像として決定する、
ことを特徴とする請求項２に記載の表示制御装置。
【請求項４】
前記データ同期通信部と前記作動制御装置とは、前記作動制御装置からの前記情報を受信するための第１接続線と、前記第１接続線とは別の第２接続線とによって、それぞれに接続され、
前記データ同期通信部は、起動及び通信異常検知の少なくとも一方の際に、前記作動制御装置に前記第２接続線を介して特定の信号を送信し、
前記作動制御装置は、前記特定の信号を受信すると、前記情報を前記データ同期通信部に前記第１接続線を介して出力する、
ことを特徴とする請求項１から３の何れか１項に記載の表示制御装置。
【請求項５】
前記表示画像決定部は、起動の際に初期画像の表示要求を前記描画実行部に出力し、
前記描画実行部は、前記表示要求に基づいて初期画像を前記表示機器に表示させるための信号を出力する、
ことを特徴とする請求項１から４の何れか１項に記載の表示制御装置。
【請求項６】
請求項１から５の何れか１項に記載の表示制御装置と、前記作動機器と、前記作動制御装置と、前記表示機器とを備える、
ことを特徴とする家電機器。
【請求項７】
作動機器を制御する作動制御装置に接続された表示制御装置が、前記作動制御装置による前記作動機器の制御状況を示す画像を表示画像として決定して表示機器に表示させる、画像表示方法であって、
前記作動制御装置からの情報を前記表示制御装置が受信する受信ステップと、
前記受信ステップにて受信した、前記作動機器の制御状況を示す情報に基づいて、前記表示機器に表示させる前記表示画像を前記表示制御装置が決定する決定ステップと、
前記決定ステップにより決定された前記表示画像を前記表示制御装置が前記表示機器に表示させる描画ステップと、
を備える、
ことを特徴とする画像表示方法。
【発明の詳細な説明】
【技術分野】
【０００１】
本発明は、表示機器に画像を表示させるための技術に関する。
【背景技術】
【０００２】
家電機器の一例として、例えばＩＨ (Induction Heating：電磁誘導加熱）式の電気炊飯器がある。
【０００３】
ＩＨ式の電気炊飯器では、作動機器（例えば、コイル部を備える炊飯部）を制御する作動制御装置と、炊飯部の状態等を表示機器（例えば、液晶ディスプレイ）に表示させるための表示制御装置とを、分離して個別のハードウェア構成とするものがある。作動制御装置は、表示画面に関する情報（現在表示中の画面、画面遷移順など）を把握しており、作動機器の状況に応じて、表示画面に関する画面データを表示制御装置に送信する。表示制御装置は、受信した画面データに基づいて表示機器に表示画像を描画する。
【０００４】
上記の作動制御装置と表示制御装置とを分離した機器構成によれば、表示機器での画面の表示情報やデザインを変更しても、作動制御装置のソフトウェアを変更する必要がない。このため、不具合の発生リスクを低減でき、試験工数を削減できる。また、製品ラインナップの展開において、機種毎に表示機器の種類が異なる場合、例えば、上位機種ではフルカラー表示の表示機器を搭載し、下位機種では白黒表示の表示機器を搭載するなどの場合にも、表示制御装置のみを開発すればよいので、開発コストの削減につながる。
【０００５】
しかしながら、上記のように作動制御装置と表示制御装置とを個別のハードウェア構成とすると、一方のリセットや通信異常があった場合に、作動機器の制御状態と表示機器の表示内容とが食い違うことがある。
【０００６】
このような食い違いを改善するため、表示制御装置の瞬断後に、制御状態と表示内容とを一致させる技術がある（特許文献１参照）。
【０００７】
特許文献１に開示された多画面表示装置は、電源遮断前の画面状態の情報を不揮発メモリ領域に保存しておき、電源復帰の際に、不揮発メモリ領域から電源遮断前の画面状態の情報を読み出すことにより、画面表示を復元する構成である。
【先行技術文献】
【特許文献】
【０００８】
【特許文献１】特開平６−４０５０号公報
【発明の概要】
【発明が解決しようとする課題】
【０００９】
しかしながら、小規模な表示機器では、不揮発メモリを書き変えるためのプログラムを搭載できない場合がある。この場合には、画面表示の復元ができない。また、かかるプログラムを搭載できたとしても、不揮発メモリの内容を書き変えている最中での停電や、書き込み回数上限などを考慮する必要があり、開発コストの増加につながるという問題がある。
【００１０】
本発明は、上記課題を解決するためになされたものであり、作動制御装置と表示制御装置とを分離した機器構成において、一方の装置の瞬断、リセット又は通信不良などの不具合が発生した場合であっても、不具合発生直前の画面状態の情報を記録することなく、復帰後の制御状況に合致した表示画像を表示でき、開発コストを削減できる表示制御装置、家電機器、及び画像表示方法を提供することを目的とする。
【課題を解決するための手段】
【００１１】
上記目的を達成するため、本発明に係る表示制御装置は、作動機器を制御する作動制御装置に接続され、作動制御装置による作動機器の制御状況を示す画像を表示機器に表示させるためのものであって、データ同期通信部と表示画像決定部と描画実行部とを備える。データ同期通信部は、作動制御装置との間で情報を送受信する。表示画像決定部は、データ同期通信部が受信した作動機器の制御状況を示す情報に基づいて、表示機器に表示させる画像を表示画像として決定する。描画実行部は、表示画像決定部により決定された表示画像を表示機器に表示させるための信号を出力する。
【発明の効果】
【００１２】
本発明によれば、作動制御装置と表示制御装置とを分離した機器構成において、一方の装置の瞬断、リセット又は通信不良などの不具合が発生した場合であっても、不具合発生直前の画面状態の情報を記録することなく、復帰後の制御状況に合致した表示画像を表示でき、開発コストを削減できる。
【図面の簡単な説明】
【００１３】
【図１】本発明の実施の形態に係る家電機器の構成図である。
【図２】本発明の実施の形態に係る表示制御装置の構成図である。
【図３】（ａ）は本発明の実施の形態に係る制御データの例を示す図、（ｂ）は異常検知通知の例を示す図である。
【図４】本発明の実施の形態に係る制御データベースの一例を示す図である。
【図５】本発明の実施の形態に係るデータ画面対応データベースの一例を示す図である。
【図６】本発明の実施の形態に係る表示制御装置での再起動時の画像表示処理の流れを示すフローチャートである。
【図７】本発明の実施の形態に係る表示制御装置での通常時の画像表示処理の流れを示すフローチャートである。
【図８】変形例に係る家電機器の構成図である。
【発明を実施するための形態】
【００１４】
以下、本発明の実施の形態に係る表示制御装置４００、家電機器１０、及び、画像表示方法について、図面を参照して詳細に説明する。
【００１５】
本発明の実施の形態に係る家電機器１０は、図１に示すように、作動機器１００と、作動機器１００を制御する作動制御装置２００と、作動機器１００の制御状況を示す画像を表示画像として表示する表示機器３００と、表示機器３００を制御する表示制御装置４００と、これらを収容する筐体５００とを備える。本実施の形態に係る家電装置は、例えばＩＨ式の電気炊飯器である。
【００１６】
作動機器１００は、例えば、釜を熱するためのコイル部などを備える炊飯部である。作動機器１００は、機器制御通信線Ｌ１を介して作動制御装置２００に接続される。
【００１７】
作動制御装置２００は、作動機器１００である炊飯部のコイル部への通電制御を行う機能（第１の機能）、作動機器１００の制御状況を示す情報である制御データを表示制御装置４００に送信する機能（第２の機能）、表示制御装置４００からの特定の信号である異常検知通知を受信する機能（第３の機能）などを有する。
【００１８】
作動制御装置２００は、１つの半導体チップ内に、ＣＰＵ（Central Processing Unit）、メモリ、入出力回路、タイマ回路などを格納したマイクロコンピュータにより構成される。前記第１〜３の各機能は、ＣＰＵが作動制御用の動作プログラムをメモリであるＲＯＭ（Read Only Memory）から読み出して実行することにより、実現される。作動制御装置２００は、プリント配線基板５１０上に実装される。
【００１９】
作動制御装置２００と表示制御装置４００とは、第１接続線であるデータ同期通信線Ｌ２と、第２接続線である異常検知通信線Ｌ３とによって、それぞれに接続される。
【００２０】
作動制御装置２００は、データ同期通信線Ｌ２を介して、作動機器１００の制御状況を示す制御データを表示制御装置４００に送信する。つまり、作動制御装置２００から表示制御装置４００への単方向通信（一方向の通信）が、データ同期通信線Ｌ２を介して行われる。
【００２１】
また、作動制御装置２００は、表示制御装置４００からの異常検知通知があった場合に、異常検知通信線Ｌ３を介して、それを受信する。つまり、表示制御装置４００から作動制御装置２００への単方向通信（他方向の通信）が、異常検知通信線Ｌ３を介して行われる。作動制御装置２００は、異常検知通知を受信すると、作動機器１００の制御状況を示す制御データを、データ同期通信線Ｌ２を介して表示制御装置４００に送信する。
【００２２】
表示機器３００は、例えば液晶ディスプレイであり、表示制御装置４００からの指示に従って表示画像を表示する。表示機器３００は、表示データ通信線Ｌ４を介して表示制御装置４００に接続される。
【００２３】
表示制御装置４００は、表示機器３００を制御する機能（第４の機能）と、起動の際に異常検知通知を作動制御装置２００に送信する機能（第５の機能）とを有する。
【００２４】
表示制御装置４００は、１つの半導体チップ内に、ＣＰＵ、メモリ、入出力回路、タイマ回路などを格納したマイクロコンピュータにより構成される。前記第４、５の各機能は、ＣＰＵが表示制御用の動作プログラムをメモリであるＲＯＭから読み出して実行することにより、実現される。
【００２５】
表示制御装置４００は、作動制御装置２００が実装されるプリント配線基板５１０上に実装される。つまり、作動制御装置２００と表示制御装置４００とは、同じプリント配線基板５１０上に実装される。
【００２６】
表示制御装置４００は、図２に示すように、作動制御装置２００との間で情報を送受信するデータ同期通信部４１０と、受信した情報を格納する制御データベース４２０と、受信した情報と表示画像とを対応付けたデータ画面対応データベース４３０と、表示画像を決定する表示画像決定部４４０と、表示画像を表示機器３００に描画する描画実行部４５０とを備える。
【００２７】
前記情報としては、作動機器１００の制御状況を示す制御データと、表示制御装置４００側の異常を通知するための異常検知通知とがある。
【００２８】
作動機器１００の制御状況を示す制御データは、作動制御装置２００からデータ同期通信部４１０に一方向に送信される。制御データは、作動機器１００の状況を示すデータであり、データ種別とデータの内容を示すテータ値とを含んで構成される。作動制御装置２００は、制御データを個別に送信してもよいし、図３（ａ）に示すように、制御データを複数セット直列させたデータ列として送信してもよい。
【００２９】
データ種別としては、例えばメインモード、炊飯モード、残り炊飯時間などがある。テータ値としては、例えばデータ種別がメインモードである場合には、待機を示すデータ値「１」と、炊飯を示すデータ値「２」とがある。
【００３０】
図２に示すデータ同期通信部４１０は、通常の場合、作動制御装置２００から送信された、作動機器１００の制御状況を示す制御データを受信する。
【００３１】
異常検知通知は、表示制御装置４００が起動の際に、データ同期通信部４１０から作動制御装置２００に送信される信号である。
【００３２】
データ同期通信部４１０は、表示制御装置４００の起動等の際に、異常検知通知を作動制御装置２００に送信する。本実施の形態では、異常検知通信線Ｌ３は１線であり、データ同期通信部４１０が異常検知通信線Ｌ３での電圧レベルを変更することにより、異常検知通信線Ｌ３を介して、ハイレベル又はローレベル（２値の値）が作動制御装置２００に伝達される。異常検知通信線Ｌ３での電圧レベルは、図３（ｂ）に示すように、異常検知通知時にはハイレベルとなり、それ以外ではローレベルとなる。
【００３３】
図２に示す制御データベース４２０は、作動制御装置２００から受信した制御データを一時的に記憶する制御データ記憶部である。制御データベース４２０は、図４に示すように、データ種別とデータ値とからなり、受信した制御データをデータ種別に対応して格納する。
【００３４】
データ画面対応データベース４３０は、図５に示すように、作動制御装置２００から受信した制御データに基づいて、表示機器３００に表示する表示画像を一意に決定するための対応表構造である。
【００３５】
詳しくは、データ画面対応データベース４３０は、制御データと表示機器３００に表示させる表示画像とを対応付けた対応付けテーブルである。データ画面対応データベース４３０は、画像番号と、１つ以上のデータ条件（図５に示す条件１〜３など）からなるデータ種別と、表示画像とを有する。表示画像は、画像番号によって管理される。データ画面対応データベース４３０は、制御データのデータ種別毎に優先順位が付けられている。条件番号が小さい程、優先順位が高いため、図５に示す条件１は条件２よりも優先順位が高く、条件２は条件３よりも優先順位が高い。
【００３６】
表示画像決定部４４０は、図２に示すように、データ同期通信部４１０が受信した作動機器１００の制御状況を示す情報に基づいて、表示機器３００に表示させる表示画像を決定する。詳しくは、表示画像決定部４４０は、制御データベース４２０に保存されている作動制御装置２００から受信した制御データとデータ画面対応データベース４３０とを参照し、現在の状態において表示すべき表示画像を決定する。
【００３７】
表示画像決定部４４０は、表示画像を決定する際に、制御データベース４２０に記憶された現在の制御データのうち優先順位の高いデータ種別の制御データを優先的に選択し、選択した制御データでデータ画面対応データベース４３０を検索し、該当する表示画像のうちで条件を満たす候補表示が１つに絞られた場合、それを表示画像として決定する。
【００３８】
また、表示画像決定部４４０は、図５に示すデータ画面対応データベース４３０における複数の表示画像の中から、初期画面用の画像である初期画像を特定するための画像番号情報（つまり、図５に示す画像番号「１」）を予め記憶している。このため、表示制御装置４００が単独でリセットなどした場合には、表示制御装置４００の起動後に、表示画像決定部４４０は、データ画面対応データベース４３０を用いて、記憶済みの画像番号「１」が示す表示画像が、初期画像である「０（待機画像）」であると決定する。
【００３９】
描画実行部４５０は、表示画像決定部４４０により決定された表示画像を表示機器３００に表示させるための描画信号を出力し、表示機器３００に表示画像を描画する。
【００４０】
（再起動時の画像表示処理）
次に、上記の構成を有する家電機器１０の表示制御装置４００での再起動時の画像表示処理について、図６を用いて説明する。
【００４１】
ここでは、家電機器１０である電気炊飯器の稼働中、つまり、作動制御装置２００が継続して稼働している最中において、表示制御装置４００が単独でリセットした場合について説明する。
【００４２】
なお、表示制御装置４００は、再起動後に、各構成（データ同期通信部４１０、制御データベース４２０、データ画面対応データベース４３０、表示画像決定部４４０、描画実行部４５０）の初期化などが完了した後に、表示制御装置４００がステップＳ１０１から動作を開始する。
【００４３】
表示画像決定部４４０は、初期画像の表示要求を描画実行部４５０に送信する（ステップＳ１０１）。表示画像決定部４４０は、予め記憶済みの画像番号情報（つまり、図５に示す画像番号「１」）に基づいて、データ画面対応データベース４３０の各種の表示画像の中から、初期画像である「０（待機画像）」を特定する。
【００４４】
描画実行部４５０は、表示画像決定部４４０から送信された「０（待機画像）」の表示情報を受信し、指定された表示画像である「０（待機画像）」を表示機器３００に描画する（ステップＳ１０２）。このように表示制御装置４００の起動後直ちに待機画像が表示機器３００に表示される。
【００４５】
データ同期通信部４１０は、作動制御装置２００に異常検知通信線Ｌ３を介して異常検知通知を送信する（ステップＳ１０３）。データ同期通信部４１０は、異常検知通信線Ｌ３として接続した１線の電圧レベルを通常時ローレベルとしているが、その電圧レベルをハイレベルに変更する。
【００４６】
作動制御装置２００は、異常検知通信線Ｌ３の電圧レベルがハイレベルになったことを検知し、通常通信においてデータ変更時又は定期的に表示制御装置４００に送信している全制御データを再送信する。
【００４７】
データ同期通信部４１０は、作動制御装置２００が異常検知通知への応答として送信した制御データを受信し、受信内容を制御データベース４２０に格納する（ステップＳ１０４）。受信した制御データは、図４に示すように、制御データベース４２０に格納される。データは基本的に数値で表される。
【００４８】
データ同期通信部４１０は、制御データベース４２０に格納される全てのデータが更新された事を確認すると、初期同期完了通知を表示画像決定部４４０に送信する（ステップＳ１０５）。初期同期完了通知は、制御データベース４２０の値と作動制御装置２００の内部データとの同期が完了し、表示画像の更新を実施する旨を通知するものである。
【００４９】
初期同期完了通知を受信した表示画像決定部４４０は、制御データベース４２０とデータ画面対応データベース４３０とを参照することで表示画像を決定する（ステップＳ１０６）。
【００５０】
まず、表示画像決定部４４０は、最も優先順位の高いデータ種別について条件判定を行う。図５に示すように、最も優先順位の高い条件１に設定されたデータ種別は「メインモード」であるので、図４に示す制御データベース４２０から「メインモード」の値を取得する。ここでの「メインモード」の値は、「２（炊飯中）」であるとする。
【００５１】
図５に示すように、データ画面対応データベース４３０の画像番号が２〜５である表示画像が候補画像として抽出される。つまり、候補画像が４つに特定される。
【００５２】
次に、表示画像決定部４４０は、次の優先順位（つまり、２番目の優先順位）のデータ種別について条件判定を行う。図５に示すように、２番目の優先順位の条件２に設定されたデータ種別は「炊飯モード」であるので、図４に示す制御データベース４２０から「炊飯モード」の値を取得する。ここでの「炊飯モード」の値は、「１（玄米）」であるとする。
【００５３】
図５に示すように、先ほど抽出した４つの候補画像のうち条件２を満たすのは、画像番号が２、３である表示画像、つまり２つの候補画像に特定される。
【００５４】
次に、表示画像決定部４４０は、次の優先順位（つまり、３番目の優先順位）のデータ種別について条件判定を行う。図５に示すように、３番目の優先順位の条件３に設定されたデータ種別は「残り炊飯時間」であるので、図４に示す制御データベース４２０から「残り炊飯時間」の値を取得する。ここでの「残り炊飯時間」の値は、図４に示すように、「２９（分）」であるとする。
【００５５】
先ほど抽出した２つの候補画像のうち条件３を満たすのは、２番目の画像番号である。「残り炊飯時間」の値が「２９（分）」であり、条件３の「１０以上」に該当するからである。
【００５６】
このようにして候補画像が１つに絞り込めたことから、表示画像決定部４４０は、画像番号２の「１（玄米：炊飯中画像）」を表示画像として決定する。
【００５７】
表示画像決定部４４０は、決定した表示画像の描画要求を描画実行部４５０に送信する（ステップＳ１０７）。ここでは、ステップＳ１０６で決定した「１（玄米：炊飯中画像）」の描画要求を送信する。
【００５８】
描画要求を受信した描画実行部４５０は、ステップＳ１０２と同様に、指定された表示画像（ここでは、画像番号２の表示画像）を表示機器３００に表示する（ステップＳ１０８）。
【００５９】
このように、例えば炊飯中に「玄米：炊飯中画像」を表示していた表示制御装置４００だけがリセットしてしまったとしても、表示制御装置４００は、再起動後に、作動制御装置２００から送信される「メインモード＝２（炊飯中）」、「炊飯モード＝１（玄米）」、「残り炊飯時間＝２９（２９分）」などの制御データと、データ画面対応データベース４３０とに基づいて、現在表示すべき表示画像が「玄米：炊飯中画像」であると決定でき、表示を復元することができる。
【００６０】
以上により、表示制御装置４００は、図６に示す再起動時の画像表示処理を終了する。
【００６１】
（通常時の画像表示処理）
上記の再起動時の画像表示処理の終了後には、次に説明する通常時の画像表示処理に移行する。続いて、表示制御装置４００での通常時の画像表示処理について、図７を用いて説明する。図７に示す処理は、所定期間（例えば数ミリ秒）毎に実行されるタイマ割り込み処理である。
【００６２】
データ同期通信部４１０は、作動制御装置２００からの制御データの受信の有無を確認する（ステップＳ２０１）。制御データの受信があれば、ステップＳ２０２に進み、未受信であれば本処理を終了する。
【００６３】
データ同期通信部４１０は、作動制御装置２００から受信した制御データを制御データベース４２０に格納する（ステップＳ２０２）。ここでは、「残り炊飯時間＝９（９分）」の制御データのみの受信があったとする。
【００６４】
データ同期通信部４１０は、制御データベース４２０に格納される制御データが更新された事を確認すると、同期完了通知を表示画像決定部４４０に送信する（ステップＳ２０３）。ここでは、図４に示す制御データベース４２０のデータ種別である「残り炊飯時間」についてのみ、データが「２９（２９分）」に更新されたとし、その他のデータ種別については更新無く維持されているとする。同期完了通知は、制御データベース４２０の値と作動制御装置２００の内部データとの同期が完了し、表示画像の更新を実施する旨を通知するものである。
【００６５】
同期完了通知を受信した表示画像決定部４４０は、制御データベース４２０とデータ画面対応データベース４３０とを参照することで表示画像を決定する（ステップＳ２０４）。ここでは、表示画像決定部４４０は、３番目の優先順位の条件３に設定されたデータ種別である「残り炊飯時間」の値が「９（分）」であるため、条件３の「９以下」に該当すると判断する。つまり、条件３を満たすのは、３番目の画像番号であると特定する。
【００６６】
表示画像決定部４４０は、ステップＳ２０４にて決定した表示画像の描画要求を描画実行部４５０に送信する（ステップＳ２０５）。ここでは、ステップＳ２０４で決定した「１（玄米：残り炊飯時間表示画像）」の描画要求を送信する。
【００６７】
描画要求を受信した描画実行部４５０は、ステップＳ２０５で指定された表示画像（ここでは、画像番号３の表示画像）を表示機器３００に表示する（ステップＳ２０６）。
【００６８】
以上のように、表示制御装置４００は、図７に示す通常時の画像表示処理を数ミリ秒毎に実行する。これにより、逐次に変化する作動機器１００の制御状況に合致した表示画像を表示することができる。
【００６９】
仮に、作動制御装置２００からの受信データの順番が、表示制御装置４００が想定しているものから前後してしまった場合でも、最終的に制御状況に合致した表示画像を表示機器３００に表示することができる。
【００７０】
以上説明したように、本発明の実施の形態に係る表示制御装置４００は、作動機器１００を制御する作動制御装置２００に接続され、作動制御装置２００による作動機器１００の制御状況を示す画像を表示機器３００に表示させるための表示制御装置４００であって、データ同期通信部４１０と表示画像決定部４４０と描画実行部４５０とを備える。データ同期通信部４１０は、作動制御装置２００との間で情報を送受信する。表示画像決定部４４０は、データ同期通信部４１０が受信した作動機器１００の制御状況を示す情報に基づいて、表示機器３００に表示させる表示画像を決定する。描画実行部４５０は、表示画像決定部４４０により決定された表示画像を表示機器３００に表示させるための信号を出力する。
【００７１】
このように、作動制御装置２００と表示制御装置４００とを分離した機器構成において、表示制御装置４００に瞬断、リセット、又は通信不良などの不具合が発生した場合であっても、その復帰後に、表示画像決定部４４０は、作動制御装置２００から受信した、作動機器１００の制御状況を示す情報に基づいて、表示機器３００に表示させる表示画像を決定する。従って、表示制御装置４００は、不具合発生直前の画面状態の情報を記録することなく、作動機器１００の制御状況に合致した表示画像を表示することができる。
【００７２】
また、機種毎に表示機器の種類が異なる製品ラインナップの展開において、作動制御装置２００についての変更が不要であるため、開発コストを削減できる。
【００７３】
また、作動制御装置２００が表示画面に関する情報（現在表示中の画面、画面遷移順など）を把握して表示制御装置４００に画面データを送らなくても、表示制御装置４００側で表示画像を決定できる。このため、表示画像の内容を変更した場合に、作動制御装置２００側の動作を変更する必要もない。従って、作動制御装置２００は、表示制御装置４００側の状態を把握する必要がなく、表示画面データを送信する必要もないので、作動制御装置２００での処理負担を減らすことができる。表示制御装置４００は、表示機器３００の表示画像の変更の際に、作動制御装置２００に変更指示を送信する必要がないので、表示制御装置４００での処理負担も減らすことができる。
【００７４】
また、データ画面対応データベース４３０は、データ種別が異なる複数の制御データと、表示機器３００に表示させる画像とを対応付けた対応付けテーブルであるので、表示画像のコンテンツを変更する場合に、表示画像の定義変更が容易になる。
【００７５】
また、制御データのデータ種別に関して優先順位を設けているので、優先順位の高いデータ種別の制御データを優先的に選択し、選択した制御データでデータ画面対応データベース４３０を検索することができる。これにより、条件判定の処理時間を短縮でき、表示機器３００に表示画像が表示されるまでのレスポンス時間（応答時間）を短縮することができる。
【００７６】
また、表示制御装置４００のデータ同期通信部４１０は、起動の際に、作動制御装置２００に異常検知通知を送信する。作動制御装置２００は、異常検知通知を受信すると、表示制御装置４００のデータ同期通信部４１０に情報を送信（例えば、全データを再送信するなど）する。これにより、起動の際に短期間で表示状態を修復することができる。
【００７７】
また、表示画像決定部４４０は、起動の際に初期画像の表示要求を描画実行部４５０に出力する。描画実行部４５０は、表示要求に基づいて初期画像を前記表示機器３００に表示させるための信号を出力する。これにより、表示機器３００に表示する表示画像を判定するまでの間、表示機器３００の画像がブラックアウト（画面が暗転した表示状態）したままになることを防止でき、ユーザ等が表示機器３００の故障であるとの誤解を防止できる。
【００７８】
また、ＩＨ式の電気炊飯器である家電機器１０は、作動機器１００と作動制御装置２００と表示機器３００と表示制御装置４００とを備えるので、不具合発生直前の画面状態の情報を記録することなく、作動機器１００の制御状況に合致した表示画像を表示機器３００に表示できる電気炊飯器（家電機器）を提供できる。
【００７９】
実施の形態に係る画像表示方法は、作動機器１００を制御する作動制御装置２００に接続された表示制御装置４００が、作動制御装置２００による作動機器１００の制御状況を示す画像を表示画像として決定して表示機器３００に表示させる、画像表示方法である。受信ステップ（ステップＳ１０４）では、作動制御装置２００からの制御データを表示制御装置４００が受信する。決定ステップ（ステップＳ１０６）では、前記受信ステップにて受信した制御データに基づいて、表示機器３００に表示させる表示画像を表示制御装置４００が決定する。描画ステップ（ステップＳ１０８）では、前記決定ステップにより決定された表示画像を表示制御装置４００が表示機器３００に表示させる。この方法によれば、不具合発生直前の画面状態の情報を記録することなく、作動機器１００の制御状況に合致した表示画像を表示できる。
【００８０】
なお、本発明は、上記各実施の形態に限定されず、本発明の要旨を逸脱しない範囲での種々の変更は勿論可能である。
【００８１】
前述した実施の形態では、表示制御装置４００のデータ同期通信部４１０は、リセット又は瞬断による再起動の際に、作動制御装置２００に特定の信号（異常検知通知）を送信するが、通信異常検知の際に特定の信号を送信してもよい。この場合は、通信異常検知の際に短期間で表示状態を修復することができる。
【００８２】
前述した実施の形態では、データ同期通信線Ｌ２を介する単方向通信と、異常検知通信線Ｌ３を介する異常検知通知のための通信とが行われているが、データ同期通信線Ｌ２を介する通信を双方向とし、異常検知通知をデータ同期通信線Ｌ２により通知することで、異常検知通信線Ｌ３を削除してもよい。また、作動制御装置２００と表示制御装置４００との間の通信を無線通信としてもよい。
【００８３】
前述した実施の形態では、作動制御装置２００と表示制御装置４００とは同じプリント配線基板５１０上に配置されているが、これに限定されない。作動制御装置２００と表示制御装置４００とが別々のプリント配線基板５１０上に配置されてもよく、それらの配置は自由である。
【００８４】
前述した実施の形態では、表示制御装置４００が単独リセット等した場合について説明しているが、作動制御装置２００が単独リセットした場合であっても、作動機器１００の制御状況と、表示機器３００での表示画像とを合致させることができる。例えば、作動制御装置２００に瞬断、リセット、又は通信不良などの不具合が発生し、作動制御装置２００が復帰する際に、作動制御装置２００からの制御データが表示制御装置４００に送信される。表示制御装置４００は、制御データベースに格納した制御データと、データ画面対応データベース４３０とに基づいて、表示機器３００に表示すべき表示画像を決定して表示することができる。
【００８５】
図７に示す通常時の画像表示処理では、作動制御装置２００から送信された制御データのみを制御データベース４２０に格納するとしたが、それ以外に表示制御装置４００の内部データを制御データベース４２０に含め、表示画像の決定に利用してもよい。これにより、作動制御装置２００から得られる制御データのみで表示画像を一意に決定する事が難しい場合に、判別のための条件を表示制御装置４００の内部データによって判定することができるため、より多様な画面表示機能を展開することができる。この場合、表示制御装置４００のリセットなどにより制御データベース４２０の内容が失われた場合は、内部データの値が初期値に戻る点に留意する。
【００８６】
前述した実施の形態の家電機器１０は、図１に示すように、作動機器１００、作動制御装置２００、表示機器３００及び表示制御装置４００の全てが１つの筐体５００に収納され、１つの装置として構成されているが、これに限定されない。図８に示すように、家電機器１０は、例えば、作動機器１００と作動制御装置２００とが１つの筐体５０１に収納された第１の装置２０と、表示機器３００と表示制御装置４００とが筐体５０１とは別の筐体５０２に収納された別装置である第２の装置３０とにより構成されてもよい。
【００８７】
前述した実施の形態では、家電機器１０はＩＨ式の電気炊飯器であるとしているが、これに限定されない。家電機器１０としては、映像機器、音響機器、生活家電、情報家電などがあり、これらの何れの機器などであってもよい。
【００８８】
映像機器としては、テレビ、プロジェクターなどの表示装置、ビデオレコーダー、ディスクレコーダーなどの記録・再生装置、ビデオカメラなどの撮影装置などがあり、これらの何れの装置としてもよい。音響機器としては、コンポーネントオーディオなどの録音・再生装置、ＣＤ（Compact Disc）プレーヤーなどの再生装置などがあり、これらの何れの装置としてもよい。生活家電としては、ＩＨ式以外の炊飯器、電磁調理器、冷蔵庫、洗濯機、電子レンジ、エア・コンディショナーなどがあり、これらの何れの機器、装置としてもよい。情報家電としては、パーソナルコンピュータ、ファクシミリ、携帯電話、情報携帯端末などがあり、これらの何れの機器、装置としてもよい。
【符号の説明】
【００８９】
１０  家電機器、  ２０  第１の装置、  ３０  第２の装置、  １００  作動機器、  ２００  作動制御装置、  ３００  表示機器、  ４００  表示制御装置、  ４１０  データ同期通信部、  ４２０  制御データベース（制御データ記憶部）、  ４３０  データ画面対応データベース（対応付けテーブル）、  ４４０  表示画像決定部、  ４５０  描画実行部、  ５００，５０１，５０２  筐体、  ５１０  プリント配線基板、  Ｌ１  機器制御通信線、  Ｌ２  データ同期通信線、  Ｌ３  異常検知通信線、  Ｌ４  表示データ通信線
【図１】
2015191113.tif 000003
【図２】
2015191113.tif 000004
【図３】
2015191113.tif 000005
【図４】
2015191113.tif 000006
【図５】
2015191113.tif 000007
【図６】
2015191113.tif 000008
【図７】
2015191113.tif 000009
【図８】
2015191113.tif 000010